【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
負極と電解液と正極とを含み、
前記電解液は、アルカリ金属、アルカリ土類金属またはアルミニウムをカチオンとするとともにアニオンの化学構造に硫黄元素および酸素元素を含む塩と、ヘテロ元素を有する有機溶媒とを含み、
前記塩のアニオンの化学構造は（ＣＦ３ＳＯ２）２Ｎ、（ＦＳＯ２）２Ｎ、（Ｃ２Ｆ５ＳＯ２）２Ｎ、ＦＳＯ２（ＣＦ３ＳＯ２）Ｎ、（ＳＯ２ＣＦ２ＣＦ２ＳＯ２）Ｎ、または（ＳＯ２ＣＦ２ＣＦ２ＣＦ２ＳＯ２）Ｎであり、
前記有機溶媒は、アセトニトリル、プロピオニトリル、アクリロニトリル、テトラヒドロフラン、１，２−ジオキサン、１，３−ジオキサン、１，４−ジオキサン、２，２−ジメチル−１，３−ジオキソラン、２−メチルテトラヒドロピラン、２−メチルテトラヒドロフラン、クラウンエーテル、エチレンカーボネート、プロピレンカーボネート、ホルムアミド、Ｎ，Ｎ−ジメチルホルムアミド、Ｎ，Ｎ−ジメチルアセトアミド、Ｎ−メチルピロリドン、イソプロピルイソシアネート、ｎ−プロピルイソシアネート、酢酸メチル、酢酸エチル、酢酸プロピル、プロピオン酸メチル、蟻酸メチル、蟻酸エチル、酢酸ビニル、メチルアクリレート、メチルメタクリレート、オキサゾール、アセトン、メチルエチルケトン、メチルイソブチルケトン、無水酢酸、無水プロピオン酸、スルホラン、１−ニトロプロパン、２−ニトロプロパン、フラン、フルフラール、γ−ブチロラクトン、γ−バレロラクトン、δ−バレロラクトン、チオフェン、ピリジン、１−メチルピロリジン、Ｎ−メチルモルフォリン、リン酸トリメチル、リン酸トリエチル、または下記一般式（１０）で示される鎖状カーボネートであり、
前記電解液の振動分光スペクトルにおける前記有機溶媒由来のピーク強度につき、前記有機溶媒本来のピークの強度をＩｏとし、前記ピークがシフトしたピークの強度をＩｓとした場合、Ｉｓ＞Ｉｏであり、
前記負極の表面に、Ｓ＝Ｏ構造を有するＳ，Ｏ含有皮膜が形成されている非水電解質二次電池。
Ｒ１９ＯＣＯＯＲ２０                                  一般式（１０）
(R１９、R２０は、それぞれ独立に、鎖状アルキルであるCｎHａFｂClｃBrｄIｅ、又は、環状アルキルを化学構造に含むCｍHｆFｇClｈBrｉIjのいずれかから選択される。nは1〜6の整数、mは3〜8の整数、a、b、c、d、e、f、g、h、i、jはそれぞれ独立に0以上の整数であり、2n+1=a+b+c+d+e、2m-1=f+g+h+i+jを満たす。)
【請求項２】
負極と電解液と正極とを含み、
前記電解液は、アルカリ金属、アルカリ土類金属またはアルミニウムをカチオンとするとともにアニオンの化学構造に硫黄元素および酸素元素を含む塩と、ヘテロ元素を有する有機溶媒とを含み、
前記塩のアニオンの化学構造は（ＣＦ３ＳＯ２）２Ｎ、（ＦＳＯ２）２Ｎ、（Ｃ２Ｆ５ＳＯ２）２Ｎ、ＦＳＯ２（ＣＦ３ＳＯ２）Ｎ、（ＳＯ２ＣＦ２ＣＦ２ＳＯ２）Ｎ、または（ＳＯ２ＣＦ２ＣＦ２ＣＦ２ＳＯ２）Ｎであり、
前記有機溶媒は、アセトニトリル、プロピオニトリル、アクリロニトリル、テトラヒドロフラン、１，２−ジオキサン、１，３−ジオキサン、１，４−ジオキサン、２，２−ジメチル−１，３−ジオキソラン、２−メチルテトラヒドロピラン、２−メチルテトラヒドロフラン、クラウンエーテル、エチレンカーボネート、プロピレンカーボネート、ホルムアミド、Ｎ，Ｎ−ジメチルホルムアミド、Ｎ，Ｎ−ジメチルアセトアミド、Ｎ−メチルピロリドン、イソプロピルイソシアネート、ｎ−プロピルイソシアネート、酢酸メチル、酢酸エチル、酢酸プロピル、プロピオン酸メチル、蟻酸メチル、蟻酸エチル、酢酸ビニル、メチルアクリレート、メチルメタクリレート、オキサゾール、アセトン、メチルエチルケトン、メチルイソブチルケトン、無水酢酸、無水プロピオン酸、スルホラン、１−ニトロプロパン、２−ニトロプロパン、フラン、フルフラール、γ−ブチロラクトン、γ−バレロラクトン、δ−バレロラクトン、チオフェン、ピリジン、１−メチルピロリジン、Ｎ−メチルモルフォリン、リン酸トリメチル、リン酸トリエチル、または下記一般式（１０）で示される鎖状カーボネートであり、
前記電解液の振動分光スペクトルにおける前記有機溶媒由来のピーク強度につき、前記有機溶媒本来のピークの強度をＩｏとし、前記ピークがシフトしたピークの強度をＩｓとした場合、Ｉｓ＞Ｉｏであり、
前記負極の表面および前記正極の表面のうちの少なくとも前記正極の表面に、Ｓ＝Ｏ構造を有するＳ，Ｏ含有皮膜が形成されている非水電解質二次電池。
Ｒ１９ＯＣＯＯＲ２０                                  一般式（１０）
(R１９、R２０は、それぞれ独立に、鎖状アルキルであるCｎHａFｂClｃBrｄIｅ、又は、環状アルキルを化学構造に含むCｍHｆFｇClｈBrｉIjのいずれかから選択される。nは1〜6の整数、mは3〜8の整数、a、b、c、d、e、f、g、h、i、jはそれぞれ独立に0以上の整数であり、2n+1=a+b+c+d+e、2m-1=f+g+h+i+jを満たす。)
【請求項３】
負極と電解液と正極とを含み、
前記電解液は、アルカリ金属、アルカリ土類金属またはアルミニウムをカチオンとするとともにアニオンの化学構造に硫黄元素および酸素元素を含む塩と、ヘテロ元素を有する有機溶媒とを含み、
前記塩のアニオンの化学構造は（ＣＦ３ＳＯ２）２Ｎ、（ＦＳＯ２）２Ｎ、（Ｃ２Ｆ５ＳＯ２）２Ｎ、ＦＳＯ２（ＣＦ３ＳＯ２）Ｎ、（ＳＯ２ＣＦ２ＣＦ２ＳＯ２）Ｎ、または（ＳＯ２ＣＦ２ＣＦ２ＣＦ２ＳＯ２）Ｎであり、
前記有機溶媒は、アセトニトリル、プロピオニトリル、アクリロニトリル、テトラヒドロフラン、１，２−ジオキサン、１，３−ジオキサン、１，４−ジオキサン、２，２−ジメチル−１，３−ジオキソラン、２−メチルテトラヒドロピラン、２−メチルテトラヒドロフラン、クラウンエーテル、エチレンカーボネート、プロピレンカーボネート、ホルムアミド、Ｎ，Ｎ−ジメチルホルムアミド、Ｎ，Ｎ−ジメチルアセトアミド、Ｎ−メチルピロリドン、イソプロピルイソシアネート、ｎ−プロピルイソシアネート、酢酸メチル、酢酸エチル、酢酸プロピル、プロピオン酸メチル、蟻酸メチル、蟻酸エチル、酢酸ビニル、メチルアクリレート、メチルメタクリレート、オキサゾール、アセトン、メチルエチルケトン、メチルイソブチルケトン、無水酢酸、無水プロピオン酸、スルホラン、１−ニトロプロパン、２−ニトロプロパン、フラン、フルフラール、γ−ブチロラクトン、γ−バレロラクトン、δ−バレロラクトン、チオフェン、ピリジン、１−メチルピロリジン、Ｎ−メチルモルフォリン、リン酸トリメチル、リン酸トリエチル、または下記一般式（１０）で示される鎖状カーボネートであり、
前記塩１モルに対する前記有機溶媒のモル範囲が、１．４モル以上３．５モル未満であり、
前記負極の表面に、Ｓ＝Ｏ構造を有するＳ，Ｏ含有皮膜が形成されている非水電解質二次電池。
Ｒ１９ＯＣＯＯＲ２０                                  一般式（１０）
(R１９、R２０は、それぞれ独立に、鎖状アルキルであるCｎHａFｂClｃBrｄIｅ、又は、環状アルキルを化学構造に含むCｍHｆFｇClｈBrｉIjのいずれかから選択される。nは1〜6の整数、mは3〜8の整数、a、b、c、d、e、f、g、h、i、jはそれぞれ独立に0以上の整数であり、2n+1=a+b+c+d+e、2m-1=f+g+h+i+jを満たす。)
【請求項４】
負極と電解液と正極とを含み、
前記電解液は、アルカリ金属、アルカリ土類金属またはアルミニウムをカチオンとするとともにアニオンの化学構造に硫黄元素および酸素元素を含む塩と、ヘテロ元素を有する有機溶媒とを含み、
前記塩のアニオンの化学構造は（ＣＦ３ＳＯ２）２Ｎ、（ＦＳＯ２）２Ｎ、（Ｃ２Ｆ５ＳＯ２）２Ｎ、ＦＳＯ２（ＣＦ３ＳＯ２）Ｎ、（ＳＯ２ＣＦ２ＣＦ２ＳＯ２）Ｎ、または（ＳＯ２ＣＦ２ＣＦ２ＣＦ２ＳＯ２）Ｎであり、
前記有機溶媒は、アセトニトリル、プロピオニトリル、アクリロニトリル、テトラヒドロフラン、１，２−ジオキサン、１，３−ジオキサン、１，４−ジオキサン、２，２−ジメチル−１，３−ジオキソラン、２−メチルテトラヒドロピラン、２−メチルテトラヒドロフラン、クラウンエーテル、エチレンカーボネート、プロピレンカーボネート、ホルムアミド、Ｎ，Ｎ−ジメチルホルムアミド、Ｎ，Ｎ−ジメチルアセトアミド、Ｎ−メチルピロリドン、イソプロピルイソシアネート、ｎ−プロピルイソシアネート、酢酸メチル、酢酸エチル、酢酸プロピル、プロピオン酸メチル、蟻酸メチル、蟻酸エチル、酢酸ビニル、メチルアクリレート、メチルメタクリレート、オキサゾール、アセトン、メチルエチルケトン、メチルイソブチルケトン、無水酢酸、無水プロピオン酸、スルホラン、１−ニトロプロパン、２−ニトロプロパン、フラン、フルフラール、γ−ブチロラクトン、γ−バレロラクトン、δ−バレロラクトン、チオフェン、ピリジン、１−メチルピロリジン、Ｎ−メチルモルフォリン、リン酸トリメチル、リン酸トリエチル、または下記一般式（１０）で示される鎖状カーボネートであり、
前記塩１モルに対する前記有機溶媒のモル範囲が、１．４モル以上３．５モル未満であり、
前記負極の表面および前記正極の表面のうちの少なくとも前記正極の表面に、Ｓ＝Ｏ構造を有するＳ，Ｏ含有皮膜が形成されている非水電解質二次電池。
Ｒ１９ＯＣＯＯＲ２０                                  一般式（１０）
(R１９、R２０は、それぞれ独立に、鎖状アルキルであるCｎHａFｂClｃBrｄIｅ、又は、環状アルキルを化学構造に含むCｍHｆFｇClｈBrｉIjのいずれかから選択される。nは1〜6の整数、mは3〜8の整数、a、b、c、d、e、f、g、h、i、jはそれぞれ独立に0以上の整数であり、2n+1=a+b+c+d+e、2m-1=f+g+h+i+jを満たす。)
【請求項５】
負極と電解液と正極とを含み、
前記電解液は、アルカリ金属、アルカリ土類金属またはアルミニウムをカチオンとするとともにアニオンの化学構造に硫黄元素および酸素元素を含む塩と、ヘテロ元素を有する有機溶媒とを含み、
前記塩のアニオンの化学構造は（ＣＦ３ＳＯ２）２Ｎ、（ＦＳＯ２）２Ｎ、（Ｃ２Ｆ５ＳＯ２）２Ｎ、ＦＳＯ２（ＣＦ３ＳＯ２）Ｎ、（ＳＯ２ＣＦ２ＣＦ２ＳＯ２）Ｎ、または（ＳＯ２ＣＦ２ＣＦ２ＣＦ２ＳＯ２）Ｎであり、
前記有機溶媒は、アセトニトリル、プロピオニトリル、アクリロニトリル、テトラヒドロフラン、１，２−ジオキサン、１，３−ジオキサン、１，４−ジオキサン、２，２−ジメチル−１，３−ジオキソラン、２−メチルテトラヒドロピラン、２−メチルテトラヒドロフラン、クラウンエーテル、エチレンカーボネート、プロピレンカーボネート、ホルムアミド、Ｎ，Ｎ−ジメチルホルムアミド、Ｎ，Ｎ−ジメチルアセトアミド、Ｎ−メチルピロリドン、イソプロピルイソシアネート、ｎ−プロピルイソシアネート、酢酸メチル、酢酸エチル、酢酸プロピル、プロピオン酸メチル、蟻酸メチル、蟻酸エチル、酢酸ビニル、メチルアクリレート、メチルメタクリレート、オキサゾール、アセトン、メチルエチルケトン、メチルイソブチルケトン、無水酢酸、無水プロピオン酸、スルホラン、１−ニトロプロパン、２−ニトロプロパン、フラン、フルフラール、γ−ブチロラクトン、γ−バレロラクトン、δ−バレロラクトン、チオフェン、ピリジン、１−メチルピロリジン、Ｎ−メチルモルフォリン、リン酸トリメチル、リン酸トリエチル、または下記一般式（１０）で示される鎖状カーボネートであり、
前記電解液の粘度η（ｍＰａ・ｓ）が１０＜η＜５００の範囲内であり、
前記負極の表面に、Ｓ＝Ｏ構造を有するＳ，Ｏ含有皮膜が形成されている非水電解質二次電池。
Ｒ１９ＯＣＯＯＲ２０                                  一般式（１０）
(R１９、R２０は、それぞれ独立に、鎖状アルキルであるCｎHａFｂClｃBrｄIｅ、又は、環状アルキルを化学構造に含むCｍHｆFｇClｈBrｉIjのいずれかから選択される。nは1〜6の整数、mは3〜8の整数、a、b、c、d、e、f、g、h、i、jはそれぞれ独立に0以上の整数であり、2n+1=a+b+c+d+e、2m-1=f+g+h+i+jを満たす。)
【請求項６】
負極と電解液と正極とを含み、
前記電解液は、アルカリ金属、アルカリ土類金属またはアルミニウムをカチオンとするとともにアニオンの化学構造に硫黄元素および酸素元素を含む塩と、ヘテロ元素を有する有機溶媒とを含み、
前記塩のアニオンの化学構造は（ＣＦ３ＳＯ２）２Ｎ、（ＦＳＯ２）２Ｎ、（Ｃ２Ｆ５ＳＯ２）２Ｎ、ＦＳＯ２（ＣＦ３ＳＯ２）Ｎ、（ＳＯ２ＣＦ２ＣＦ２ＳＯ２）Ｎ、または（ＳＯ２ＣＦ２ＣＦ２ＣＦ２ＳＯ２）Ｎであり、
前記有機溶媒は、アセトニトリル、プロピオニトリル、アクリロニトリル、テトラヒドロフラン、１，２−ジオキサン、１，３−ジオキサン、１，４−ジオキサン、２，２−ジメチル−１，３−ジオキソラン、２−メチルテトラヒドロピラン、２−メチルテトラヒドロフラン、クラウンエーテル、エチレンカーボネート、プロピレンカーボネート、ホルムアミド、Ｎ，Ｎ−ジメチルホルムアミド、Ｎ，Ｎ−ジメチルアセトアミド、Ｎ−メチルピロリドン、イソプロピルイソシアネート、ｎ−プロピルイソシアネート、酢酸メチル、酢酸エチル、酢酸プロピル、プロピオン酸メチル、蟻酸メチル、蟻酸エチル、酢酸ビニル、メチルアクリレート、メチルメタクリレート、オキサゾール、アセトン、メチルエチルケトン、メチルイソブチルケトン、無水酢酸、無水プロピオン酸、スルホラン、１−ニトロプロパン、２−ニトロプロパン、フラン、フルフラール、γ−ブチロラクトン、γ−バレロラクトン、δ−バレロラクトン、チオフェン、ピリジン、１−メチルピロリジン、Ｎ−メチルモルフォリン、リン酸トリメチル、リン酸トリエチル、または下記一般式（１０）で示される鎖状カーボネートであり、
前記電解液の粘度η（ｍＰａ・ｓ）が１０＜η＜５００の範囲内であり、
前記負極の表面および前記正極の表面のうちの少なくとも前記正極の表面に、Ｓ＝Ｏ構造を有するＳ，Ｏ含有皮膜が形成されている非水電解質二次電池。
Ｒ１９ＯＣＯＯＲ２０                                  一般式（１０）
(R１９、R２０は、それぞれ独立に、鎖状アルキルであるCｎHａFｂClｃBrｄIｅ、又は、環状アルキルを化学構造に含むCｍHｆFｇClｈBrｉIjのいずれかから選択される。nは1〜6の整数、mは3〜8の整数、a、b、c、d、e、f、g、h、i、jはそれぞれ独立に0以上の整数であり、2n+1=a+b+c+d+e、2m-1=f+g+h+i+jを満たす。)
【請求項７】
負極と電解液と正極とを含み、
前記電解液は、アルカリ金属、アルカリ土類金属またはアルミニウムをカチオンとするとともにアニオンの化学構造に硫黄元素および酸素元素を含む塩と、ヘテロ元素を有する有機溶媒とを含み、
前記塩のアニオンの化学構造は（ＣＦ３ＳＯ２）２Ｎ、（ＦＳＯ２）２Ｎ、（Ｃ２Ｆ５ＳＯ２）２Ｎ、ＦＳＯ２（ＣＦ３ＳＯ２）Ｎ、（ＳＯ２ＣＦ２ＣＦ２ＳＯ２）Ｎ、または（ＳＯ２ＣＦ２ＣＦ２ＣＦ２ＳＯ２）Ｎであり、
前記有機溶媒は、アセトニトリル、プロピオニトリル、アクリロニトリル、テトラヒドロフラン、１，２−ジオキサン、１，３−ジオキサン、１，４−ジオキサン、２，２−ジメチル−１，３−ジオキソラン、２−メチルテトラヒドロピラン、２−メチルテトラヒドロフラン、クラウンエーテル、エチレンカーボネート、プロピレンカーボネート、ホルムアミド、Ｎ，Ｎ−ジメチルホルムアミド、Ｎ，Ｎ−ジメチルアセトアミド、Ｎ−メチルピロリドン、イソプロピルイソシアネート、ｎ−プロピルイソシアネート、酢酸メチル、酢酸エチル、酢酸プロピル、プロピオン酸メチル、蟻酸メチル、蟻酸エチル、酢酸ビニル、メチルアクリレート、メチルメタクリレート、オキサゾール、アセトン、メチルエチルケトン、メチルイソブチルケトン、無水酢酸、無水プロピオン酸、スルホラン、１−ニトロプロパン、２−ニトロプロパン、フラン、フルフラール、γ−ブチロラクトン、γ−バレロラクトン、δ−バレロラクトン、チオフェン、ピリジン、１−メチルピロリジン、Ｎ−メチルモルフォリン、リン酸トリメチル、リン酸トリエチル、または下記一般式（１０）で示される鎖状カーボネートであり、
前記電解液の密度ｄ（ｇ／ｃｍ３）を前記電解液の塩濃度ｃ（ｍｏｌ／Ｌ）で除したｄ／ｃは、０．１５≦ｄ／ｃ≦０．７１の範囲内であり、
前記負極の表面に、Ｓ＝Ｏ構造を有するＳ，Ｏ含有皮膜が形成されている非水電解質二次電池。
Ｒ１９ＯＣＯＯＲ２０                                  一般式（１０）
(R１９、R２０は、それぞれ独立に、鎖状アルキルであるCｎHａFｂClｃBrｄIｅ、又は、環状アルキルを化学構造に含むCｍHｆFｇClｈBrｉIjのいずれかから選択される。nは1〜6の整数、mは3〜8の整数、a、b、c、d、e、f、g、h、i、jはそれぞれ独立に0以上の整数であり、2n+1=a+b+c+d+e、2m-1=f+g+h+i+jを満たす。)
【請求項８】
負極と電解液と正極とを含み、
前記電解液は、アルカリ金属、アルカリ土類金属またはアルミニウムをカチオンとするとともにアニオンの化学構造に硫黄元素および酸素元素を含む塩と、ヘテロ元素を有する有機溶媒とを含み、
前記塩のアニオンの化学構造は（ＣＦ３ＳＯ２）２Ｎ、（ＦＳＯ２）２Ｎ、（Ｃ２Ｆ５ＳＯ２）２Ｎ、ＦＳＯ２（ＣＦ３ＳＯ２）Ｎ、（ＳＯ２ＣＦ２ＣＦ２ＳＯ２）Ｎ、または（ＳＯ２ＣＦ２ＣＦ２ＣＦ２ＳＯ２）Ｎであり、
前記有機溶媒は、アセトニトリル、プロピオニトリル、アクリロニトリル、テトラヒドロフラン、１，２−ジオキサン、１，３−ジオキサン、１，４−ジオキサン、２，２−ジメチル−１，３−ジオキソラン、２−メチルテトラヒドロピラン、２−メチルテトラヒドロフラン、クラウンエーテル、エチレンカーボネート、プロピレンカーボネート、ホルムアミド、Ｎ，Ｎ−ジメチルホルムアミド、Ｎ，Ｎ−ジメチルアセトアミド、Ｎ−メチルピロリドン、イソプロピルイソシアネート、ｎ−プロピルイソシアネート、酢酸メチル、酢酸エチル、酢酸プロピル、プロピオン酸メチル、蟻酸メチル、蟻酸エチル、酢酸ビニル、メチルアクリレート、メチルメタクリレート、オキサゾール、アセトン、メチルエチルケトン、メチルイソブチルケトン、無水酢酸、無水プロピオン酸、スルホラン、１−ニトロプロパン、２−ニトロプロパン、フラン、フルフラール、γ−ブチロラクトン、γ−バレロラクトン、δ−バレロラクトン、チオフェン、ピリジン、１−メチルピロリジン、Ｎ−メチルモルフォリン、リン酸トリメチル、リン酸トリエチル、または下記一般式（１０）で示される鎖状カーボネートであり、
前記電解液の密度ｄ（ｇ／ｃｍ３）を前記電解液の塩濃度ｃ（ｍｏｌ／Ｌ）で除したｄ／ｃは、０．１５≦ｄ／ｃ≦０．７１の範囲内であり、
前記負極の表面および前記正極の表面のうちの少なくとも前記正極の表面に、Ｓ＝Ｏ構造を有するＳ，Ｏ含有皮膜が形成されている非水電解質二次電池。
Ｒ１９ＯＣＯＯＲ２０                                  一般式（１０）
(R１９、R２０は、それぞれ独立に、鎖状アルキルであるCｎHａFｂClｃBrｄIｅ、又は、環状アルキルを化学構造に含むCｍHｆFｇClｈBrｉIjのいずれかから選択される。nは1〜6の整数、mは3〜8の整数、a、b、c、d、e、f、g、h、i、jはそれぞれ独立に0以上の整数であり、2n+1=a+b+c+d+e、2m-1=f+g+h+i+jを満たす。)
【請求項９】
負極と電解液と正極とを含み、
前記電解液は、アルカリ金属、アルカリ土類金属またはアルミニウムをカチオンとするとともにアニオンの化学構造に硫黄元素および酸素元素を含む塩と、ヘテロ元素を有する有機溶媒とを含み、
前記電解液は、
前記塩として（ＣＦ３ＳＯ２）２ＮＬｉ及び前記有機溶媒としてアセトニトリルを含み、（ＣＦ３ＳＯ２）２ＮＬｉの濃度が３．２〜４．９ｍｏｌ／Ｌである、
前記塩として（ＦＳＯ２）２ＮＬｉ及び前記有機溶媒として１，２−ジメトキシエタンを含み、（ＦＳＯ２）２ＮＬｉの濃度が２．６〜４．１ｍｏｌ／Ｌである、
前記塩として（ＦＳＯ２）２ＮＬｉ及び前記有機溶媒としてアセトニトリルを含み、（ＦＳＯ２）２ＮＬｉの濃度が３．９〜６．０ｍｏｌ／Ｌである、
前記塩として（ＦＳＯ２）２ＮＬｉ及び前記有機溶媒としてジメチルカーボネートを含み、（ＦＳＯ２）２ＮＬｉの濃度が２．３〜４．５ｍｏｌ／Ｌである、
前記塩として（ＦＳＯ２）２ＮＬｉ及び前記有機溶媒としてエチルメチルカーボネートを含み、（ＦＳＯ２）２ＮＬｉの濃度が２．０〜３．８ｍｏｌ／Ｌである、
又は、
前記塩として（ＦＳＯ２）２ＮＬｉ及び前記有機溶媒としてジエチルカーボネートを含み、（ＦＳＯ２）２ＮＬｉの濃度が１．８〜３．６ｍｏｌ／Ｌであり、
前記負極の表面に、Ｓ＝Ｏ構造を有するＳ，Ｏ含有皮膜が形成されている非水電解質二次電池。
【請求項１０】
負極と電解液と正極とを含み、
前記電解液は、アルカリ金属、アルカリ土類金属またはアルミニウムをカチオンとするとともにアニオンの化学構造に硫黄元素および酸素元素を含む塩と、ヘテロ元素を有する有機溶媒とを含み、
前記電解液が、
前記塩として（ＣＦ３ＳＯ２）２ＮＬｉ及び前記有機溶媒としてアセトニトリルを含み、（ＣＦ３ＳＯ２）２ＮＬｉの濃度が３．２〜４．９ｍｏｌ／Ｌである、
前記塩として（ＦＳＯ２）２ＮＬｉ及び前記有機溶媒として１，２−ジメトキシエタンを含み、（ＦＳＯ２）２ＮＬｉの濃度が２．６〜４．１ｍｏｌ／Ｌである、
前記塩として（ＦＳＯ２）２ＮＬｉ及び前記有機溶媒としてアセトニトリルを含み、（ＦＳＯ２）２ＮＬｉの濃度が３．９〜６．０ｍｏｌ／Ｌである、
前記塩として（ＦＳＯ２）２ＮＬｉ及び前記有機溶媒としてジメチルカーボネートを含み、（ＦＳＯ２）２ＮＬｉの濃度が２．３〜４．５ｍｏｌ／Ｌである、
前記塩として（ＦＳＯ２）２ＮＬｉ及び前記有機溶媒としてエチルメチルカーボネートを含み、（ＦＳＯ２）２ＮＬｉの濃度が２．０〜３．８ｍｏｌ／Ｌである、
又は、
前記塩として（ＦＳＯ２）２ＮＬｉ及び前記有機溶媒としてジエチルカーボネートを含み、（ＦＳＯ２）２ＮＬｉの濃度が１．８〜３．６ｍｏｌ／Ｌであり、
前記負極の表面および前記正極の表面のうちの少なくとも前記正極の表面に、Ｓ＝Ｏ構造を有するＳ，Ｏ含有皮膜が形成されている非水電解質二次電池。